(57)【要約】【課題】乾湿変化や寒暖変化による表面材の反り、ゆがみを抑制しつつ、外観に優れ、芯材と表面材との接着強度も確保された建具用パネルを提供すること。【解決手段】長尺な矩形形状であり、かつ、同じ大きさを有し、離間して対向配置された第１表面材３Ａおよび第２表面材３Ｂと、前記第１表面材と前記第２表面材の長手方向の両端部の内側に配置され、かつ、前記第１表面材と前記第２表面材の短手方向に沿って延びる第１芯材２１と、前記第１表面材と前記第２表面材の短手方向の両端部の内側に配置され、かつ、前記第１表面材と前記第２表面材の長手方向に沿って配置された第２芯材２２とが、前記第１表面材と前記第２表面材の間に注入された発泡樹脂材料Ｒによって一体に接着された長尺な建具用パネル１であって、前記第１表面材と前記第２表面材では、互いに対向する面にその短手方向に延びる凹溝６が複数形成されており、この凹溝の内部にまで前記発泡樹脂材料が充填されている建具用パネルとする。【選択図】図１
2016089561.tif 000002
【特許請求の範囲】
【請求項１】
長尺な矩形形状であり、かつ、同じ大きさを有し、離間して対向配置された第１表面材および第２表面材と、
前記第１表面材と前記第２表面材の長手方向の両端部の内側に配置され、かつ、前記第１表面材と前記第２表面材の短手方向に沿って延びる第１芯材と、
前記第１表面材と前記第２表面材の短手方向の両端部の内側に配置され、かつ、前記第１表面材と前記第２表面材の長手方向に沿って配置された第２芯材とが、
前記第１表面材と前記第２表面材の間に注入された発泡樹脂材料によって一体に接着された長尺な建具用パネルであって、
前記第１表面材と前記第２表面材では、互いに対向する面にその短手方向に延びる凹溝が複数形成されており、この凹溝の内部にまで前記発泡樹脂材料が充填されていることを特徴とする建具用パネル。
【請求項２】
前記建具用パネルの短手方向に対向する前記第１芯材の木口面および前記建具用パネルの短手方向に対向する前記第２芯材の外端面には、前記建具用パネルの長手方向に平行な切欠溝が形成されており、
前記第１表面材の短手方向の両端部および前記第２表面材の短手方向の両端部には巻込部が形成されており、この巻込部は、前記第１芯材の前記木口面および前記第２芯材の前記外端面を被覆する側面部と、前記切欠溝に挿入される挿入部とが形成されていることを特徴とする請求項１に記載の建具用パネル。
【発明の詳細な説明】
【技術分野】
【０００１】
本発明は、建具用パネルに関する。
【背景技術】
【０００２】
従来より、フラッシュドアなどの建具について、乾湿変化や寒暖変化に起因する反り、ゆがみを抑制するための検討がなされている。
【０００３】
例えば特許文献１には、芯材に表面材を貼着してなる建具（フラッシュドア）において、表面材の裏面に横溝を形成することで、乾湿変化や寒暖変化によって表面材の伸長が生じても、横溝が変形することによって表面材の反りが吸収されることが記載されている。
【先行技術文献】
【特許文献】
【０００４】
【特許文献１】特開平０８−２９６３７４号公報
【発明の概要】
【発明が解決しようとする課題】
【０００５】
しかしながら、特許文献１の建具の場合、対向する２つの表面材の間に空隙が形成されているため、建具用パネルを正面から見た場合に裏面の横溝が透けて見える場合があり、これによって建具用パネルの外観不良を招いてしまうという問題がある。さらに、特許文献１の建具の場合、表面材の裏面に横溝が形成されているため、芯材と表面材との接着強度を確保することが必ずしも容易でないという問題がある。
【０００６】
本発明は、以上のとおりの事情に鑑みてなされたものであり、乾湿変化や寒暖変化による表面材の反り、ゆがみを抑制しつつ、外観に優れ、芯材と表面材との接着強度も確保された建具用パネルを提供することを課題としている。
【課題を解決するための手段】
【０００７】
上記の課題を解決するために、本発明の建具用パネルは、長尺な矩形形状であり、かつ、同じ大きさを有し、離間して対向配置された第１表面材および第２表面材と、前記第１表面材と前記第２表面材の長手方向の両端部の内側に配置され、かつ、前記第１表面材と前記第２表面材の短手方向に沿って延びる第１芯材と、前記第１表面材と前記第２表面材の短手方向の両端部の内側に配置され、かつ、前記第１表面材と前記第２表面材の長手方向に沿って配置された第２芯材とが、前記第１表面材と前記第２表面材の間に注入された発泡樹脂材料によって一体に接着された長尺な建具用パネルであって、前記第１表面材と前記第２表面材では、互いに対向する面にその短手方向に延びる凹溝が複数形成されており、この凹溝の内部にまで前記発泡樹脂材料が充填されていることを特徴としている。
【発明の効果】
【０００８】
本発明の建具用パネルによれば、乾湿変化や寒暖変化による表面材の反り、ゆがみを抑制しつつ、外観に優れ、芯材と表面材との接着強度も確保することができる。
【図面の簡単な説明】
【０００９】
【図１】本発明の建具用パネルの一実施形態を例示した正面図、Ａ―Ａ’断面図およびＡ―Ａ’断面の部分拡大図である。
【図２】本発明の建具用パネルの一実施形態を例示した分解斜視図である。
【図３】（Ａ）は、図２に例示した第１表面材および第２表面材を構成する木質材の一実施形態を例示したＢ−Ｂ’断面図である。（Ｂ）は、（Ａ）に例示した第１表面材および第２表面材の第１切込部および第２切込部で折り曲げて変形させた状態を例示した断面図である。
【図４】図１に例示した建具用パネルのＣ―Ｃ’断面図および部分拡大図である。
【発明を実施するための形態】
【００１０】
図１は、本発明の建具用パネルの一実施形態を例示した正面図、Ａ−Ａ’断面図およびＡ−Ａ’断面の部分拡大図である。図２は、本発明の建具用パネルの一実施形態を例示した分解斜視図である。図３（Ａ）は、図２に例示した第１表面材および第２表面材を構成する木質材の一実施形態を例示したＢ−Ｂ’断面図である。図３（Ｂ）は、図３（Ａ）に例示した第１表面材および第２表面材の第１切込部および第２切込部で折り曲げて変形させた状態を例示した断面図である。図４は、図１に例示した建具用パネルのＣ―Ｃ’断面図および部分拡大図である。
【００１１】
図１、図２に例示したように、建具用パネル１は長尺な矩形状であり、第１表面材３Ａと第２表面材３Ｂとの間に注入された発泡樹脂材料Ｒによって、第１表面材３Ａ、第２表面材３Ｂ、第１芯材２１および第２芯材２２が一体に接着されている。
【００１２】
第１表面材３Ａおよび第２表面材３Ｂは、縦長の矩形状であり、互いに離間して対向配置されている。
【００１３】
この実施形態の第１表面材３Ａおよび第２表面材３Ｂでは、木質材４の表面部４１に化粧シート５が貼着された形態を例示している。
【００１４】
例えば、木質材４の材料は、厚さ１ｍｍ〜２０ｍｍ程度の合板、ＭＤＦ（Medium Density Fiberboard:中密度繊維板）などを例示することができる。
【００１５】
第１表面材３Ａおよび第２表面材３Ｂは、互いに対向する面（木質材４の裏面）に、表面側に向かって凹み、短手方向に延びる凹溝６が複数形成されている。この実施形態の凹溝６は、表面側に向かって略長方形状に切り欠かれた形態を例示している。凹溝６は、例えば幅Ｌ１は0.5〜2.0ｍｍ、溝深さＬ２は1ｍｍ〜3ｍｍ程度の範囲を例示することができる。また、隣接する凹溝６同士の間隔Ｌ３は、例えば50〜200ｍｍ程度の範囲を例示することができる。そして、この溝深さＬ２は、第１表面材３Ａおよび第２表面材３Ｂの厚みの５０％以上の深さであることが好ましい。さらに、凹溝６の奥面６aから第１表面材３Ａおよび第２表面材３Ｂの表面までの距離Ｌ４が１ｍｍ以下であることが好ましい。溝深さＬ２および奥面６aから第１表面材３Ａおよび第２表面材３Ｂの表面までの距離Ｌ４がこの範囲であると、建具用パネル１の反りの発生をより抑制することができる。
【００１６】
化粧シート５の材料は、例えばプラスチックシートや紙製の印刷シートを例示することができる。より具体的には、プラスチックシートとしては、例えば、ポリ塩化ビニルシート、ポリエチレンシートなどを例示することができる。また、例えば、ポリ塩化ビニルシート、ポリエチレンシート、ポリプロピレンシート、フッ素樹脂シートなどを積層した多層構造のシートであってもよい。また、化粧シートの厚さは、例えば、５０μｍ〜２ｍｍ、好ましくは１００μｍ〜１ｍｍの範囲で適宜設計することができる。さらに、化粧シートは、各種の接着剤を用いて木質材に接着することができるが、木質材への水分の含浸を考慮すると、非水溶性接着剤を用いることが好ましい。非水溶性接着剤としては、例えば、溶液型のアクリル共重合体、合成ゴム系の接着剤、熱可塑性合成樹脂であるホットメルト系の接着剤、エポキシ樹脂系、ウレタン系、塩化ビニル系の接着剤などを例示することができる。
【００１７】
第１芯材２１は、第１表面材３Ａと第２表面材３Ｂの長手方向の両端部の内側に配置され、かつ、第１表面材３Ａと第２表面材３Ｂの短手方向に沿って延びている。第２芯材２２は、第１表面材３Ａと第２表面材３Ｂの短手方向の両端部の内側に配置され、かつ、第１表面材３Ａと第２表面材３Ｂの長手方向に沿って配置されている。
【００１８】
第１芯材２１および第２芯材２２の材料は、無垢材、集成材、ＬＶＬ（Laminated Vaneer Lumber:単板積層板）、合板、木質繊維板、パーティクルボードなどのうち１種または２種以上を適宜選択することができる。第２芯材２２としてＬＶＬ（Laminated Vaneer Lumber:単板積層板）を使用する場合には、積層面が建具用パネル１の厚さ方向と平行になるように配置することが好ましい。これによって、建具用パネル１の厚さ方向の反りの発生を抑制することができる。
【００１９】
第１芯材２１は角柱状であり、建具用パネル１の短手方向に対向する木口面２１aの中央付近には、建具用パネル１の長手方向（縦方向）に平行な切欠溝Ｐ１が形成されている。例えば、切欠溝Ｐ１の幅は第１表面材３Ａおよび第２表面材３Ｂの厚みの合計と略同じ大きさであり、溝深さは３ｍｍ〜１０ｍｍ程度の範囲を例示することができる。
【００２０】
この実施形態では、第１表面材３Ａおよび第２表面材３Ｂの短手方向の一端の内側に２つの第２芯材２２が間隔を置いて配置され、他端の内側に１つの第２芯材２２が配置されている。第２芯材２２は、建具用パネル１の長手方向（縦方向）に長尺であり、建具用パネル１の短手方向に対向する外端面２２aの中央付近には、建具用パネル１の長手方向（縦方向）に平行な切欠溝Ｐ２が形成されている。第２芯材２２の切欠溝Ｐ２も、第１芯材２１の切欠溝Ｐ１の幅、溝深さと同様の寸法で形成することができる。また、第１芯材２１の切欠溝Ｐ１と第２芯材２２の切欠溝Ｐ２は、建具用パネル１の長手方向（縦方向）の同一直線上に配置されている。
【００２１】
第１表面材３Ａと第２表面材３Ｂの間には発泡樹脂材料Ｒが注入され、凹溝６の内部にまで充填されている。発泡樹脂材料Ｒによって、第１表面材３Ａ、第２表面材３Ｂ、第１芯材２１および第２芯材２２が互いに接着して一体化している。
【００２２】
発泡樹脂材料Ｒは、発泡あるいは発泡硬化して合成樹脂発泡体を形成する材料であり、公知の合成樹脂を適宜使用することができる。具体的には、発泡樹脂材料Ｒの合成樹脂としては、ポリウレタン、ポリスチレン、ポリエチレン、ポリプロピレン、フェノール樹脂、尿素樹脂、メラミン樹脂などを例示することができる。また、このような合成樹脂に発泡剤、硬化促進剤などが配合されたものを適宜使用することができる。
【００２３】
図３（Ａ）に例示したように、この実施形態では、第１表面材３Ａおよび第２表面材３Ｂを構成する木質材４には、略Ｖ字状にカットされた第１切込部Ｖ１と第２切込部Ｖ２が形成されている。第１切込部Ｖ１と第２切込部Ｖ２とは、第１芯材２１および第２芯材２２と対峙する側に位置する木質材４の一面（裏面）の短手方向の両端部付近において、略同じ形状、大きさで形成されている。
【００２４】
第１切込部Ｖ１は、第１傾斜面Ｓ１と第２傾斜面Ｓ２とが底部Ｆ１において略直角に接して形成されており、第２切込部Ｖ２は、第３傾斜面Ｓ３と第４傾斜面Ｓ４とが底部Ｆ２において略直角に接して形成されている。そして、図３（Ｂ）に例示したように、第１切込部Ｖ１の第１傾斜面Ｓ１と第２傾斜面Ｓ２とを互いに当接させ、かつ、第２切込部Ｖ２の第３傾斜面Ｓ３と第４傾斜面Ｓ４とを互いに当接させるようにそれぞれ略９０°折り曲げることができる。これによって、木質材４の短手方向の両端部に巻込部７を形成することができる。
【００２５】
第１表面材３Ａの巻込部７は、表面部４１から対向する第２表面材３Ｂの方向へ延びる側面部７１と、側面部７１の先端部７１aから短手方向の内側に向かって延びる挿入部７２によって構成されている。側面部７１の長さＭ１は、第１切込部Ｖ１の底部Ｆ１と第２切込部Ｖ２の底部Ｆ２との間の長さＮ１と対応している。挿入部７２の長さＭ２は、第２切込部Ｖ２の底部Ｆ２から短手方向の端部までの長さＮ２と対応している。また、図示してないが、第２表面部３Ｂの巻込部７も第１表面材３Ａの形態と同様であり、表面部４１から対向する第１表面材３Ａの方向へ延びる側面部７１と、この側面部７１の先端部７１aから短手方向の内側に向かって延びる挿入部７２によって構成されている。
【００２６】
図４に例示したように、第１表面材３Ａの巻込部７の側面部７１と第２表面材３Ｂの巻込部７の側面部７１とは互いに先端部７１aにおいて当接している。第１表面材３Ａおよび第２表面材３Ｂの挿入部７２は、互いに当接対峙した状態で、短手方向の内側方向に向かって平行に延びている。したがって、建具用パネル１の短手方向に対向する第１芯材２１の木口面２１aおよび第２芯材２２の外端面２２aは、第１表面材３Ａおよび第２表面材３Ｂの巻込部７の側面部７１によって被覆されている。
【００２７】
そして、第１表面材３Ａおよび第２表面材３Ｂの挿入部７２は、第１芯材２１の木口面２１aの切欠溝Ｐ１および第２芯材２２の外端面２２aの切欠溝Ｐ２に挿入されている。第１芯材２１の切欠溝Ｐ１と第２芯材２２の切欠溝Ｐ２とは、建具用パネル１の長手方向の同一直線上に配置されている。このため、第１表面材３Ａおよび第２表面材３Ｂの挿入部７２は、第１芯材２１の切欠溝Ｐ１と第２芯材２２の切欠溝Ｐ２に容易に挿入することができ、安定的に保持される。
【００２８】
したがって、第１芯材２１の切欠溝Ｐ１および第２芯材２２の切欠溝Ｐ２の幅、溝深さなどの寸法は、第１表面材３Ａおよび第２表面材３Ｂの挿入部７２の厚さ、長さなどの寸法を考慮して適宜設計することができる。
【００２９】
このように、建具用パネル１は、第１表面材３Ａと第２表面材３Ｂの間に注入された発泡樹脂材料Ｒによって、第１表面材３Ａ、第２表面材３Ｂ、第１芯材２１および第２芯材２２が一体に接着される。
【００３０】
第１表面材３Ａおよび第２表面材３Ｂは、長尺な矩形形状であり、かつ、同じ大きさを有し、離間して対向配置されている。第１芯材２１は、第１表面材３Ａと第２表面材３Ｂの長手方向の両端部の内側に配置され、かつ、第１表面材３Ａと第２表面材３Ｂの短手方向に沿って延びている。第２芯材２２は、第１表面材３Ａと第２表面材３Ｂの短手方向の両端部の内側に配置され、かつ、第１表面材３Ａと第２表面材３Ｂの長手方向に沿って配置されている。第１表面材３Ａと第２表面材３Ｂでは、互いに対向する面にその短手方向に延びる凹溝６が複数形成されており、この凹溝６の内部にまで発泡樹脂材料Ｒが充填されている。
【００３１】
この実施形態の建具用パネル１では、第１表面材３Ａと第２表面材３Ｂでは、互いに対向する面にその短手方向に延びる凹溝６が複数形成されている。このため、乾湿変化や寒暖変化に伴う水分の移動などが生じた場合も、第１表面材３Ａおよび第２表面材３Ｂの伸縮が凹溝６に吸収され、第１表面材３Ａおよび第２表面材３Ｂの反りやゆがみが抑制される。
【００３２】
そして、この実施形態の建具用パネル１では、第１表面材３Ａおよび第２表面材３Ｂの互いに対向する面の間には発泡樹脂材料Ｒが凹溝６の内部にまで充填されている。このため、建具用パネル１を正面から見た場合に裏面の凹溝６が透けて見えることがなく、建具用パネル１の外観が良好になる。また、発泡樹脂材料Ｒが凹溝６にまで充填されているため、第１芯材２１および第２芯材２２と、第１表面材３Ａおよび第２表面材３Ｂとの接着強度も良好であり、別途、接着剤を使用する必要もない。さらに、充填された発泡樹脂材料Ｒは、第１表面材３Ａおよび第２表面材３Ｂの裏面で防湿層として機能するため、第１表面材３Ａおよび第２表面材３Ｂの吸放湿が抑制され、建具用パネル１の反りの発生がさらに抑制される。
【００３３】
そして、この実施形態の建具用パネル１では、第１表面材３Ａおよび第２表面材３Ｂの巻込部７は、挿入部７２が第１芯材２１の切欠溝Ｐ１および第２芯材２２の切欠溝Ｐ２に挿入されている。また、第１表面材３Ａおよび第２表面材３Ｂの巻込部７の側面部７１は、第１芯材２１の木口面２１aおよび第２芯材２２の外端面２２aを被覆している。このため、第１表面材３Ａおよび第２表面材３Ｂの反りやゆがみの発生がさらに抑制されている。
【００３４】
次に、本発明の建具用パネルの製造方法の一実施形態について説明する。図１〜図４を用いて説明した部分についての説明は省略する。
【００３５】
まず、所定の寸法にカットされた第１表面材３Ａおよび第２表面材３Ｂを作製し、裏面の短手方向に凹溝６を加工する。さらに、図３で例示したように、第１表面材３Ａおよび第２表面材３Ｂの短手方向の両端付近に、巻込部７を形成するための第１切込部Ｖ１、第２切込部Ｖ２をそれぞれ加工する。
【００３６】
次に、第１表面材３Ａを設置した上に、建具用パネル１の上端、下端の第１芯材２１を配置し、短手方向の両端部に第２芯材２２を部分的に配置し、さらにその上に第２表面材３Ｂを配置する。そして、第１表面材３Ａと第２表面材３Ｂの第１切込部Ｖ１および第２切込部Ｖ２で折り曲げて巻込部７を形成する。さらに、巻込部７の挿入部７２を第１芯材２１の切欠溝Ｐ１および第２芯材２２の切欠溝Ｐ２に挿入し、巻込部７の側面部７１によって第１芯材２１の木口面２１aおよび第２芯材２２の外端面２２aを被覆する。
【００３７】
そして、第１表面材３Ａおよび第２表面材３Ｂによって第１芯材２１と第２芯材２２を挟み込んでプレス機に挿入し、プレス機内で圧力をかけた状態で、第１芯材２１に設けた注入穴から発泡樹脂材料Ｒを注入して内部で発泡させる。
【００３８】
これによって、第１表面材３Ａと第２表面材３Ｂの間には発泡樹脂材料Ｒが凹溝６の内部にまで充填され、発泡樹脂材料Ｒによって、第１芯材２１、第２芯材２２、第１表面材３Ａおよび第２表面材３Ｂとが互いに接着される。なお、図２に例示した形態の建具パネル１では、切欠溝Ｐ１、Ｐ２と同一直線上の発泡樹脂材料Ｒの側面に、第１表面材３Ａおよび第２表面材３Ｂの巻込部７に起因する凹部Ｗが形成されている。
【００３９】
本発明の建具用パネルは、以上の形態に限定されることはない。例えば、第２芯材は、第１表面材と第２表面材の長手方向に亘って延びて、第１芯材と枠組みされた形態であってもよい。また、第１表面材と第２表面材の凹溝の断面形状やサイズは特に限定されず、断面が台形状やＵ字状などに切り欠かれた形態とすることもできる。そして、本発明の建具用パネルに蝶番や取手などを設けることで建具を形成することができる。
【符号の説明】
【００４０】
１    建具用パネル
２１  第１芯材
２２  第２芯材
３Ａ  第１表面材
３Ｂ  第２表面材
６    凹溝
７    巻込部
７１  側面部
７２  挿入部
Ｐ１、Ｐ２    切欠溝
Ｒ    発泡樹脂材料
【図１】
2016089561.tif 000003
【図２】
2016089561.tif 000004
【図３】
2016089561.tif 000005
【図４】
2016089561.tif 000006